(57)【要約】      （修正有）【課題】回転ブラシに付着した塵埃を取り除くために必要な使用者の負担を低減できる吸込み具を提供する。【解決手段】吸込み具は、ケースと、駆動部と、回転ブラシ２５と、継手管１４と、起毛布３５とを備える。ケースは、下面に吸込み口２２を有する。駆動部は、ケースに支持される。回転ブラシ２５は清掃体２９を有する。収容部２３はケースの内部で吸込み口２２と通じる。回転ブラシ２５は収容部２３に配置される。回転ブラシ２５は駆動部により回転する。継手管１４はケースの吸込み口２２より後方に配置される。継手管１４はケースの内部で収容部２３と内部が通じる。起毛布３５は収容部２３の内壁に配置される。起毛布３５は、回転ブラシ２５のいずれかの回転位置において、清掃体２９に接触する。【選択図】図６
2019017791.tif 000002
【特許請求の範囲】
【請求項１】
下面に吸込み口を有するケースと、
前記ケースに支持された駆動部と、
清掃体を有し、前記ケースの内部で前記吸込み口と通じる収容部に配置され、前記駆動部により回転する回転ブラシと、
前記ケースの前記吸込み口より後方に配置され、前記ケースの内部で前記収容部と内部が通じる継手管と、
前記収容部の内壁に配置された起毛布と、を備え、
前記起毛布は、前記回転ブラシのいずれかの回転位置において前記清掃体に接触する吸込み具。
【請求項２】
前記起毛布は、前記回転ブラシのいずれの回転位置においても前記清掃体に接触する請求項１に記載の吸込み具。
【請求項３】
下面に吸込み口を有するケースと、
前記ケースに支持された駆動部と、
清掃体を有し、前記ケースの内部で前記吸込み口と通じる収容部に配置され、前記駆動部により回転する回転ブラシと、
前記ケースの前記吸込み口より後方に配置され、前記ケースの内部で前記収容部と内部が通じる継手管と、
前記収容部の内壁に配置された起毛布と、を備え、
前記収容部の前記内壁の一部は、第一位置と前記第一位置より前記回転ブラシに近い第二位置とに配置されるように変形が可能であり、
前記起毛布は、前記内壁の前記一部が前記第二位置に配置されている状態において、前記回転ブラシのいずれかの回転位置において前記清掃体に接触する吸込み具。
【請求項４】
前記起毛布は、前記内壁の前記一部が前記第二位置に配置されている状態において、前記回転ブラシのいずれの回転位置においても前記清掃体に接触する請求項３に記載の吸込み具。
【請求項５】
前記起毛布は、前記内壁の前記一部が前記第一位置に配置されている状態において、前記回転ブラシのいずれの回転位置においても前記清掃体に接触しない請求項３又は請求項４に記載の吸込み具。
【請求項６】
前記ケースは前記回転ブラシより前方にバッファーを有し、
前記バッファーは前記内壁の前記一部を形成する請求項３から請求項５のいずれか一項に記載の吸込み具。
【請求項７】
前記バッファーは、少なくとも一部が弾性材料からなる請求項６に記載の吸込み具。
【請求項８】
前記ケースの前記下面を水平な面に対向させた場合に鉛直となる平面であり且つ前記回転ブラシの回転軸を含む平面より後方に前記起毛布の少なくとも一部が配置される請求項１から請求項５のいずれか一項に記載の吸込み具。
【請求項９】
前記継手管は、前記ケースの内部の風路を介して前記収容部と内部が通じ、
前記回転ブラシの回転軸の方向から見た場合に、前記吸込み口と、前記起毛布の少なくとも一部と、前記風路とが、前記回転ブラシの回転方向にこの順に並ぶように配置される請求項１から請求項５のいずれか一項に記載の吸込み具。
【請求項１０】
前記清掃体が前記起毛布に接触する位置における前記回転ブラシの回転運動の接線方向を順方向とし、
前記起毛布は前記順方向の逆向きに倒伏しているパイルを有する請求項１から請求項９のいずれか一項に記載の吸込み具。
【請求項１１】
前記起毛布は、帯電防止処理が施された部材を有する請求項１から請求項１０のいずれか一項に記載の吸込み具。
【請求項１２】
前記起毛布は、第一の起毛布と第二の起毛布とを有し、
前記第一の起毛布及び前記第二の起毛布は分離して配置される請求項１から請求項１１のいずれか一項に記載の吸込み具。
【請求項１３】
前記第一の起毛布は、前記第二の起毛布より前記清掃体との接触量が大きい請求項１２に記載の吸込み具。
【請求項１４】
請求項１から請求項１３のいずれか一項に記載の吸込み具と、
吸引風を発生する送風機と、
前記吸引風により前記吸込み口から吸引される塵埃を捕集する集塵部と、を備える電気掃除機。
【発明の詳細な説明】
【技術分野】
【０００１】
本発明は、吸込み具と電気掃除機とに関する。
【背景技術】
【０００２】
特許文献１に電気掃除機の例が記載されている。特許文献１に記載の電気掃除機は、吸込み具を備える。吸込み具は、塵埃を掻き出す回転ブラシを備える。回転ブラシに被清掃面を清掃する作業の際に塵埃が付着する。回転ブラシに糸状の塵埃が絡みつくと、電気掃除機の清掃能力が低減する。このため、回転ブラシに付着した塵埃を取り除く作業が必要となる。
【０００３】
特許文献１に塵埃を取り除く作業の方法の例が記載されている。特許文献１に記載の吸込み具は、回転ブラシを吸込み具から取り外すことができる。取り外した回転ブラシの長手方向に沿って、リング状の塵埃除去具を移動させる。この塵埃除去具は塵埃を切断するための刃を備える。これにより、回転ブラシに絡みついた塵埃を取り除くことができる。
【先行技術文献】
【特許文献】
【０００４】
【特許文献１】特開２００８−２５９７１８号公報
【発明の概要】
【発明が解決しようとする課題】
【０００５】
特許文献１に記載される吸込み具では、使用者は回転ブラシを取り外してから絡みついた塵埃を取り除かなければならない。したがって、使用者は被清掃面を清掃する作業とは別の作業として回転ブラシから塵埃を除去する作業を行わなければならず、使用者の負担が大きいという課題があった。
【０００６】
本発明は、このような課題を解決するためになされた。本発明の目的は、回転ブラシに付着した塵埃を取り除くために必要な使用者の負担を低減できる吸込み具と、そのような吸込み具を備えた電気掃除機とを提供することである。
【課題を解決するための手段】
【０００７】
本発明に係る吸込み具は、下面に吸込み口を有するケースと、ケースに支持された駆動部と、清掃体を有し、ケースの内部で吸込み口と通じる収容部に配置され、駆動部により回転する回転ブラシと、ケースの吸込み口より後方に配置され、ケースの内部で収容部と内部が通じる継手管と、収容部の内壁に配置された起毛布と、を備える。起毛布は、前記回転ブラシのいずれかの回転位置において清掃体に接触する。
【０００８】
本発明に係る吸込み具は、下面に吸込み口を有するケースと、ケースに支持された駆動部と、清掃体を有し、ケースの内部で吸込み口と通じる収容部に配置され、駆動部により回転する回転ブラシと、ケースの吸込み口より後方に配置され、ケースの内部で収容部と内部が通じる継手管と、収容部の内壁に配置された起毛布と、を備える。収容部の内壁の一部は、第一位置と第一位置より回転ブラシに近い第二位置とに配置されるように変形が可能である。起毛布は、内壁の一部が第二位置に配置されている状態において、回転ブラシのいずれかの回転位置において清掃体に接触する。
【０００９】
本発明に係る電気掃除機は、上記のうちいずれかに記載された吸込み具と、吸引風を発生する送風機と、前記吸引風により前記吸込み口から吸引される塵埃を捕集する集塵部と、を備える。
【発明の効果】
【００１０】
本発明に係る吸込み具は、ケースと、駆動部と、回転ブラシと、継手管と、起毛布とを備える。ケースは、下面に吸込み口を有する。駆動部は、ケースに支持される。回転ブラシは清掃体を有する。収容部はケースの内部で吸込み口と通じる。回転ブラシは収容部に配置される。回転ブラシは駆動部により回転する。継手管はケースの吸込み口より後方に配置される。継手管はケースの内部で収容部と内部が通じる。起毛布は収容部の内壁に配置される。起毛布は、回転ブラシのいずれかの回転位置において、清掃体に接触する。この発明に係る吸込み具を用いることにより、回転ブラシに付着した塵埃を取り除くために必要な使用者の負担を低減できる。
【図面の簡単な説明】
【００１１】
【図１】本発明の実施の形態１に係る電気掃除機の側面図である。
【図２】本発明の実施の形態１に係る吸込み具の上面図である。
【図３】本発明の実施の形態１に係る吸込み具の斜視図である。
【図４】本発明の実施の形態１に係る吸込み具の下面図である。
【図５】本発明の実施の形態１に係る吸込み具の上ケースを取り外した状態を示す斜視図である。
【図６】本発明の実施の形態１に係る吸込み具の、図２におけるＡ−Ａ面での断面図である。
【図７】本発明の実施の形態１に係る吸込み具の回転ブラシの斜視図である。
【図８】本発明の実施の形態１に係る吸込み具の起毛布の概略図である。
【図９】本発明の実施の形態１に係る吸込み具の回転ブラシを取り外した状態を示す下面から見た斜視図である。
【図１０】本発明の実施の形態１に係る吸込み具に起毛布が配置される位置を示す下面図である。
【図１１】本発明の実施の形態１に係る吸込み具の回転ブラシの概略斜視図である。
【図１２】本発明の実施の形態１に係る吸込み具の他の例を示す、図２におけるＡ−Ａ面での断面図である。
【図１３】本発明の実施の形態１に係る吸込み具の他の例を示す、図２におけるＡ−Ａ面での断面図である。
【図１４】本発明の実施の形態１に係る吸込み具の他の例を示す、図２におけるＡ−Ａ面での断面図である。
【図１５】本発明の実施の形態２に係る吸込み具の収容部の内壁の一部が第一位置にある状態を示す、図２におけるＡ−Ａ面に相当する面での断面図である。
【図１６】本発明の実施の形態２に係る吸込み具の収容部の内壁の一部が第二位置にある状態を示す、図２におけるＡ−Ａ面に相当する面での断面図である。
【発明を実施するための形態】
【００１２】
本発明を実施するための形態について添付の図面を参照しながら説明する。各図において、同一又は相当する部分に同一の符号を付して、重複する説明は適宜に簡略化又は省略する。なお、本発明は以下の実施の形態に限定されることなく、本発明の趣旨を逸脱しない範囲で種々変形することが可能である。
【００１３】
以下の説明においては、「塵埃」に塵、埃、糸屑、髪の毛及びその他の電気掃除機で吸引できるごみを含む。
【００１４】
実施の形態１．
図１は、本発明の実施の形態１に係る電気掃除機１の側面図である。電気掃除機１は、本体２と、ホース体３と、吸込み具４とを備える。使用者は、吸込み具４を進行方向Ｓに進めることによって、被清掃面Ｇを清掃する作業を行う。被清掃面Ｇは、例えば床、畳又は絨毯である。
【００１５】
本体２は、電動送風機５と集塵部６とを備える。電動送風機５は吸引風を発生させる。吸引風は、被清掃面Ｇから塵埃を吸引する気流である。集塵部６は、被清掃面Ｇから吸引される塵埃を捕集する。集塵部６は、袋状のフィルターによって塵埃を捕集する。即ち、紙パック式の集塵方法が採用される。なお、集塵部６で塵埃を捕集する方法は、特定の方法に限定されない。集塵部６は、旋回流によって分離された塵埃を捕集しても良い。即ち、集塵部６にサイクロン式の集塵方法が採用されても良い。
【００１６】
ホース体３は、軟質管部７と、持ち手部８と、硬質延長管部９とを備える。軟質管部７は、例えば蛇腹形状であり、可撓性を有する。持ち手部８は、電気掃除機１を取り回すためのものである。持ち手部８は、電気掃除機１を操作するための入力を行う操作部８ａを備える。操作部８ａは、使用者が電気掃除機１の電源を入れたり切ったりするための電源ボタンを備える。硬質延長管部９は、伸縮構造を有する。硬質延長管部９は、無段階又は多段階に長さの調節が可能である。
【００１７】
本体２と軟質管部７は着脱自在に接続される。軟質管部７は持ち手部８に接続される。持ち手部８は硬質延長管部９に接続される。硬質延長管部９と吸込み具４は着脱自在に接続される。
【００１８】
図２は、本発明の実施の形態１に係る吸込み具４の上面図である。本実施の形態では、進行方向Ｓを前方とする。吸込み具４が被清掃面Ｇに置かれたとき、被清掃面Ｇと対向する面を下面とする。図２のＢの方向を左右方向とする。
【００１９】
吸込み具４は、ケース１０と継手管１４とを備える。ケース１０は、吸込み具４の外郭をなす。ケース１０の形状は、上から見て長方形状である。前後方向に平行な辺が短辺となる。左右方向に平行な辺が長辺となる。即ち、左右方向がケース１０の長手方向となる。
【００２０】
図３は、本発明の実施の形態１に係る吸込み具４の斜視図である。ケース１０は、上ケース１１と下ケース１２とを備える。上ケース１１は、ケース１０の上面をなす。下ケース１２は、ケース１０の下面をなす。
【００２１】
継手管１４は、硬質延長管部９と接続するための接続部１４ａを端部に備える。継手管１４は、接続部１４ａと反対側の端部に連結部１４ｂを備える。連結部１４ｂは、上ケース１１と下ケース１２とに挟まれて支持される。継手管１４の被清掃面Ｇに対する角度は、連結部１４ｂを支点として可変である。継手管１４は、ケース１０の吸込み口２２の後方に配置される。
【００２２】
図４は、本発明の実施の形態１に係る吸込み具４の下面図である。下ケース１２は、下カバー１３を備える。下カバー１３は、下ケース１２の長手方向の両端部に配置される。
【００２３】
吸込み具４は、後部車輪１６と中部車輪１７とを更に備える。後部車輪１６及び中部車輪１７は、下ケース１２に支持される。後部車輪１６は、下ケース１２の下面から被清掃面Ｇへ向かって突出する。中部車輪１７は、下カバー１３の下面から被清掃面Ｇへ向かって突出する。中部車輪１７は、後部車輪１６より前方に配置される。後部車輪１６及び中部車輪１７は、樹脂成形で形成される。後部車輪１６及び中部車輪１７は、被清掃面Ｇから一定の距離を置いた位置に支持される。後部車輪１６及び中部車輪１７は、下ケース１２に支持された軸の周りに自由に回転できる。
【００２４】
吸込み具４は、滑り部材１５を更に備える。滑り部材１５は、下カバー１３の下面に配置される。滑り部材１５は、中部車輪１７の前方に配置される。滑り部材１５は、被清掃面Ｇとの摩擦による抵抗が小さい部材が用いられる。滑り部材１５は、例えば起毛布又はフェルトが用いられる。
【００２５】
ケース１０の下面に後部車輪１６、中部車輪１７及び滑り部材１５が備えられることにより、被清掃面Ｇを傷つけることなく吸込み具４が滑らかに移動できる。中部車輪１７及び後部車輪１６は、滑り部材に置き換えられても良い。
【００２６】
吸込み具４は、軸受け部１８を更に備える。軸受け部１８は、下ケース１２に支持される。軸受け部１８は、ケース１０の一方の端部に配置される。
【００２７】
図５は本発明の実施の形態１に係る吸込み具４の上ケース１１を取り外した状態を示す斜視図である。吸込み具４は、モーター１９を更に備える。モーター１９は、下ケース１２に支持される。モーター１９は、軸受け部１８に回転を伝えるプーリー２０及びベルト２１に接続される。モーター１９は、駆動部の一例である。なお、駆動部は、モーターに限定されない。電動送風機５の吸引風により回転するエアータービンが駆動部に用いられても良い。
【００２８】
図６は本発明の実施の形態１に係る吸込み具４の、図２におけるＡ−Ａ面での断面図である。ケース１０の下面に吸込み口２２が設けられる。吸込み口２２は、被清掃面Ｇにある塵埃を吸引するための開口である。本実施の形態においてケース１０の内部とは、吸込み口２２から継手管１４の内部に通じる空間を言う。
【００２９】
ケース１０の内部に収容部２３が設けられる。収容部２３は、吸込み口２２の上方の空間である。収容部２３は、ケース１０の内部の風路２４を介して継手管１４の内部と通じる。
【００３０】
吸込み具４は、回転ブラシ２５と起毛布３５とを更に備える。回転ブラシ２５は、収容部２３に配置される。回転ブラシ２５は、軸受け部１８により回転方向Ｒに回転できる。回転ブラシ２５は、回転により被清掃面Ｇの塵埃を掻き出すための部材である。回転ブラシ２５は、交換等のために吸込み具４から取り外せる構造としても良い。
【００３１】
後部車輪１６及び中部車輪１７が下ケース１２の下面から突出していることにより、回転ブラシ２５は被清掃面Ｇから一定の距離に保たれる。これにより、被清掃面Ｇを清掃する作業を行う時に、回転ブラシ２５が適正に動作する。即ち、回転ブラシ２５に不必要な圧力がかかることなく、安定に回転する。また、回転ブラシ２５によって塵埃が被清掃面Ｇから安定して掻き出される。
【００３２】
図７は本発明の実施の形態１に係る吸込み具４の回転ブラシ２５の斜視図である。回転ブラシ２５は、円筒基体２６と、清掃体２９と、ガイド部３１とを備える。
【００３３】
円筒基体２６は、樹脂成形で形成される円筒部２７を有する。円筒部２７の周面に、螺旋状の溝部２８が５つ形成される。溝部２８は、円筒基体２６の周方向に等角度で形成される。
【００３４】
周方向に隣接する溝部２８の間に、清掃体保持部３０が形成される。清掃体２９は、清掃体保持部３０を介して円筒基体２６に保持される。清掃体２９は、被清掃面Ｇの塵埃を掻き出すための部材である。清掃体２９は、清掃体保持部３０に埋め込まれた繊維からなるブラシが用いられる。清掃体２９は、吸込み口２２から被清掃面Ｇへ向かって突出するように配置される。清掃体２９は、回転ブラシ２５のいずれかの回転位置において被清掃面Ｇと接触する。清掃体２９は、軟質のブレード状の部材であっても良い。清掃体２９は、軟質のブレード状の部材とブラシとを組み合わせたものであっても良い。
【００３５】
ガイド部３１は、円筒基体２６の長手方向の一端部に設けられる。ガイド部３１は、回転ブラシ２５を軸受け部１８に装着するための部材である。
【００３６】
図４に示すように、下ケース１２は、吸込み口２２の後方に遮口部材４０を備える。遮口部材４０は、例えば起毛布が用いられる。回転ブラシ２５が被清掃面Ｇの上の塵埃を掻き出す時に、塵埃を後方に弾くことがある。遮口部材４０は、弾かれた塵埃が吸込み口２２の後方から外部に逃れることを抑制する。また、遮口部材４０は被清掃面Ｇと吸込み口２２との間の吸引風が流れる風路の一部を塞ぐ。これにより、被清掃面Ｇの上において、吸引風の気流の速度が速くなる。即ち、吸込み性能を向上させる。
【００３７】
図５に示すように、吸込み具４は、スイッチ保持部３３を更に備える。スイッチ保持部３３は、下ケース１２に支持される。スイッチ３２は、スイッチ保持部３３に設けられる。図４に示すように、下ケース１２はスイッチ兼用車輪３４が設けられる。スイッチ兼用車輪３４は、下ケース１２の下面から被清掃面Ｇへ向かって突出する。スイッチ兼用車輪３４は、下ケース１２の下面に押し込むことができる。スイッチ３２の状態はスイッチ兼用車輪３４を押し込むことで切り替えられる。
【００３８】
吸込み具４が被清掃面Ｇへ置かれた状態では、スイッチ兼用車輪３４は車輪の一部を残して下ケース１２の下面に押し込まれる。このとき、スイッチ３２はオン状態となる。即ち、電源スイッチを入れた状態ではスイッチ３２によりモーター１９が回転する。スイッチ兼用車輪３４は、吸込み具４が被清掃面Ｇから離れている状態で、下ケース１２の下面から突出する他の部材より突出する。このとき、スイッチ３２はオフ状態となる。即ち、スイッチ３２がオフ状態であれば、モーター１９は回転しない。したがって、吸込み具４が被清掃面Ｇから離れている時は、回転ブラシ２５が無駄に空転しない。
【００３９】
図８は本発明の実施の形態１に係る吸込み具４の起毛布３５の概略図である。本実施の形態において、起毛布３５とは基材３６とパイル３７とを有するものである。パイル３７は、一端を基材３６に保持された線状の部材である。パイル３７は、基材３６上に複数本配列される。パイル３７は、基材３６に垂直な方向から角度θだけ倒伏している。倒伏高さＨは、基材３６に垂直な方向の、基材３６からパイル３７の先端までの高さを表す。
【００４０】
起毛布３５は、パイル織物からなるブラシが用いられる。パイル織物の基布を基材３６とする。起毛布３５は、例えば繊維状の部材をパイル３７とし、これを束ねて基材３６に植え込んだものであっても良い。基材３６は硬質の樹脂であっても良い。起毛布３５は、帯電防止処理を施した部材が用いられる。帯電防止処理を施した部材として、例えば金属などの導電性の繊維がパイル３７の一部に用いられる。
【００４１】
図６に示すように、起毛布３５は収容部２３の内壁に配置される。起毛布３５は、収容部２３の内壁に取り付けられる。起毛布３５は、回転ブラシ２５のいずれかの回転位置において清掃体２９に接触する。即ち起毛布３５は、回転ブラシ２５が一回転すると清掃体２９と接触する位置に配置される。清掃体２９が接触する位置における、回転ブラシ２５の回転運動の接線方向を順方向とする。パイル３７は順方向の逆向きに倒伏している。
【００４２】
起毛布３５は、平面Ｖより後方になる位置に配置される。平面Ｖは、収容部２３を前後の２つの領域に分ける。平面Ｖは、吸込み具４の下面を水平な面に対向させた場合に鉛直面となる。平面Ｖは、回転ブラシ２５の回転軸Ｘを含む。風路２４は平面Ｖの後方に位置する。
【００４３】
図９は本発明の実施の形態１に係る吸込み具４の、回転ブラシ２５を取り外した状態を示す下面から見た斜視図である。起毛布３５は、ケース１０の長手方向に平行に配置される。
【００４４】
図１０は本発明の実施の形態１に係る吸込み具４に起毛布３５が配置される位置を示す下面図である。起毛布３５が配置される位置を点線で示す。起毛布３５は、回転ブラシ２５より紙面奥に取り付けられている。清掃体２９が円筒基体２６に螺旋状に取付けられているため、起毛布３５は清掃体２９と部分的に接触する。即ち、起毛布３５の左右方向の一部が清掃体２９に接触し、他の部分は接触していない。
【００４５】
図１１は本発明の実施の形態１に係る吸込み具４の回転ブラシ２５の概略斜視図である。αは、隣接する清掃体２９の周方向の開き角である。βは、清掃体２９の両端におけるねじれ角である。ねじれ角βは開き角αより大きい。このとき、回転ブラシ２５のいずれの回転位置においても清掃体２９と起毛布３５が接触する。即ち、回転ブラシ２５が一回転する間に、清掃体２９と起毛布３５とが連続的にかつ部分的に接触する。
【００４６】
次に、本発明の実施の形態１に係る電気掃除機１の動作を説明する。使用者は、被清掃面Ｇを清掃する作業の際に、操作部８ａの電源ボタンにより電気掃除機１の電源を入れる。これにより、電動送風機５が運転し、吸引風を発生させる。吸引風は被清掃面Ｇの上から、吸込み口２２を通りケース１０の内部に流入する。ケース１０の内部に流入した吸引風は、継手管１４の内部を通りホース体３の内部に流入する。ホース体３の内部に流入した吸引風は、集塵部６に到達する。
【００４７】
被清掃面Ｇの上の塵埃は、吸引風とともに吸込み口２２を通りケース１０の内部に流入する。ケース１０の内部に流入した塵埃は、吸引風とともに集塵部６に到達する。集塵部６に到達した塵埃は、集塵部６で捕集される。これにより、塵埃は被清掃面Ｇから吸引によって除去される。使用者は吸込み具４を進行方向Ｓに進めることによって、被清掃面Ｇの上の塵埃を吸引し、清掃する作業を行う。
【００４８】
被清掃面Ｇを清掃する作業の際、モーター１９がプーリー２０及びベルト２１を介して軸受け部１８を駆動する。軸受け部１８に装着されたガイド部３１が回転することにより、回転ブラシ２５が回転する。回転ブラシ２５が有する清掃体２９が、被清掃面Ｇ上の塵埃を掻き出す。掻き出された塵埃の一部は清掃体２９に付着する。回転ブラシ２５の回転により清掃体２９は起毛布３５に接触する。起毛布３５に接触することにより、付着した塵埃は清掃体２９から除去される。清掃体２９から除去された塵埃は、吸引風の吸込み作用により収容部２３から排出される。収容部２３から排出された塵埃は、吸引風と共に継手管１４の内部を通り、本体２の集塵部６で捕集される。即ち、被清掃面Ｇを清掃する作業の際に回転ブラシ２５に付着した塵埃が除去される。したがって、塵埃を除去する作業と被清掃面Ｇを清掃する作業とを同時に行うことができ、使用者の負担を低減できる。
【００４９】
本実施の形態に示す例においては、塵埃を除去する作業と被清掃面Ｇを清掃する作業とを同時に行うことができる。すなわち、回転ブラシ２５を取り外さずに、清掃作業と同時に清掃体２９に付着した塵埃を除去することができる。これにより、塵埃を除去する作業の際に回転ブラシ２５を取り外して清掃体２９に付着していた塵埃を巻き上げてしまうことを防止する。さらに、回転ブラシ２５を取り外さずに塵埃を除去するので、除去する作業の際に塵埃が付着した回転ブラシ２５に手を触れない。したがって、塵埃を除去する作業の衛生性を向上することができる。
【００５０】
本実施の形態に示す例においては、被清掃面Ｇを清掃する作業と塵埃を除去する作業とが同時に行われる。これにより、大量の塵埃が清掃体２９に付着することを抑制できる。
また、例えば糸状の塵埃が強固に回転ブラシ２５に絡みつくことを抑制できる。したがって、被清掃面Ｇを清掃する作業と別の作業として塵埃の除去を行う場合であっても、塵埃を除去する作業を容易に行うことができる。
【００５１】
清掃体２９にブラシを用いたとき、清掃体２９の内部に綿状の塵埃等が入り込むことがある。本実施の形態に示す例においては、被清掃面Ｇを清掃する作業の間に起毛布３５がそれぞれの清掃体２９に接触する。このため、隣接する清掃体２９の間に渡る塵埃だけではなく、清掃体２９の内部に入り込んだ塵埃も除去することができる。
【００５２】
風路２４は平面Ｖの後方に位置するため、平面Ｖの後方における真空度が、平面Ｖの前方より高い。真空度は、吸込み性能に影響する。したがって、起毛布３５を平面Ｖより後方に配置することで、清掃体２９から除去された塵埃を、効率的に収容部２３から排出することができる。なお、起毛布３５のすべてが、平面Ｖより後方になる位置に配置される必要はなく、起毛布３５の少なくとも一部が平面Ｖより後方になる位置に配置されてもよい。
【００５３】
起毛布３５は平面Ｖより後方に配置しなくても良い。設計上の制約又はその他の条件により平面Ｖの前方に配置することが好ましい場合は、起毛布３５は平面Ｖの前方に配置しても良い。
【００５４】
回転ブラシ２５の回転により清掃体２９と起毛布３５とが接触すると、接触音が発生する。清掃体２９と起毛布３５との接触を連続的かつ部分的とすることで、接触音も連続的かつ小さいものとなる。これにより、接触音による使用者の不快感を低減できる。
【００５５】
また、清掃体２９と起毛布３５が接触すると、回転ブラシ２５の回転運動への抵抗が発生する。清掃体２９と起毛布３５との接触を連続的かつ部分的とすることで、回転運動への抵抗も連続的かつ小さいものとなる。これにより、回転ブラシ２５を駆動するモーター１９への負荷を低減できる。
【００５６】
なお、本実施の形態においては、例示したような清掃体２９が螺旋状に配置されている場合に限定されない。例えば、清掃体２９は回転ブラシ２５の回転軸Ｘの方向に平行に配置されるものであってもよい。このとき、起毛布３５はケース１０の長手方向と非平行に配置される。また、起毛布３５の両端におけるねじれ角が、隣接する清掃体２９の間の開き角αより大きい。これによって、回転ブラシ２５のいずれの回転位置においても清掃体２９と起毛布３５とが接触する。すなわち、清掃体２９と起毛布３５の接触音による不快感を低減できる。同時に、回転ブラシ２５を駆動するモーター１９への負荷を低減できる。
【００５７】
また、５列の清掃体２９が円筒基体２６に螺旋状に配置される例を示したが、本実施の形態においては５列に限定されない。
【００５８】
回転ブラシ２５のいずれかの回転位置において、清掃体２９と起毛布３５とが接触しない回転位置があってもよい。即ち、回転ブラシ２５の回転によって清掃体２９と起毛布３５とが断続的に接触するものであっても良い。製造上の制約又はその他の条件を考慮し、例えば回転ブラシ２５と起毛布３５が共に回転軸Ｘの方向に平行なものとしても良い。
【００５９】
順方向は、清掃体２９が接触する位置における、回転ブラシ２５の回転運動の接線方向である。パイル３７は、順方向の逆向きに倒伏している。これにより、清掃体２９と起毛布３５が接触する際に，パイル３７に塵埃が引っかかりやすくなる。したがって、清掃体２９に付着した塵埃をより効率的に除去できる。
【００６０】
なお、回転ブラシ２５の回転に対する抵抗と、塵埃の除去性能との双方を考慮し、倒伏角度θは調整されてもよい。回転ブラシ２５の回転に対する抵抗を考慮し、パイル３７は回転ブラシ２５の回転方向Ｒと逆向きに倒伏していなくてもよい。
【００６１】
起毛布３５は、帯電防止処理が施された部材が用いられる。これにより、清掃体２９との摩擦により起毛布３５が帯電し、塵埃が付着することを抑制できる。したがって、より効率的に塵埃を除去することができる。
【００６２】
なお、帯電防止処理が施された部材として用いられる導電性の材料は、金属に限定されない。また、帯電防止処理が施された部材は、導電性の材料が用いられるものに限定されない。例えば、界面活性剤などの帯電防止剤がパイル３７の表面に塗布されたものであってもよい。
【００６３】
また、滑り部材１５及び遮口部材４０は、起毛布３５と同種の起毛布が用いられても良い。同種の起毛布が用いられる場合は、部品の種類を減らすことができ、製造コストを低減できる。別種の起毛布が用いられる場合は、各部材の機能に応じて好適な種類の起毛布を選定できる。
【００６４】
図１２は、本発明の実施の形態１に係る吸込み具４の他の例を示す断面図である。図１２は、図２におけるＡ−Ａ面での断面図である。吸込み口２２と、起毛布３５の少なくとも一部と、風路２４とが、回転ブラシ２５の回転軸Ｘの方向から見て、回転方向Ｒにこの順に並ぶように配置される。すなわち、起毛布３５の少なくとも一部は、吸込み口２２と風路２４の間に位置する。
【００６５】
清掃体２９に付着していた塵埃は起毛布３５で除去された後、吸引風により収容部２３から風路２４を通じて排出される。起毛布３５を吸込み口２２と風路２４との間に設けることで、塵埃の移動を阻害するものがないようにすることができる。これにより、塵埃は集塵部６へと円滑に移動できる。即ち、塵埃が収容部２３の内部に留まり、清掃体２９又は起毛布３５に再び付着することを抑制する。よって、収容部２３から効率的に塵埃が除去できる。
【００６６】
さらに、起毛布３５が配置される位置において、除去された塵埃が吸込み口２２から風路２４に移動する方向と、回転ブラシ２５の回転方向Ｒとは対向しない。即ち、除去された塵埃が移動する方向と、清掃体２９の移動方向とは対向していない。これにより塵埃が清掃体２９に再び付着する可能性を低減でき、効率的に塵埃を除去することができる。
【００６７】
図１３は本発明の実施の形態１に係る吸込み具４の他の例を示す、図２におけるＡ−Ａ面での断面図である。起毛布３５は、第一の起毛布３５ａと第二の起毛布３５ｂとを有する。第一の起毛布３５ａ及び第二の起毛布３５ｂは、収容部２３の内壁に分離してそれぞれ配置される。
【００６８】
これにより、例えば第一の起毛布３５ａで除去されなかった塵埃を、第二の起毛布３５ｂで除去することが可能となる。したがって、清掃体２９に付着した塵埃をより効率的に除去することが可能となる。
【００６９】
また、第一の起毛布３５ａと第二の起毛布３５ｂでは清掃体２９との接触量が異なっても良い。例えば、第一の起毛布３５ａは第二の起毛布３５ｂより清掃体２９との接触量が大きい。ここで清掃体２９との接触量は、回転ブラシ２５が一回転する間に起毛布３５に接触する清掃体２９の部分の割合とする。例えば、回転軸Ｘを中心とした、第一の起毛布３５ａに接する回転面３８ａを考える。このとき、清掃体２９の全体の体積に対する、回転面３８ａの外側にある領域の体積の割合が、第一の起毛布３５ａの接触量となる。同様に、第二の起毛布３５ｂに接する回転面３８ｂを考える。このとき、清掃体２９の全体の体積に対する、回転面３８ｂの外側にある領域の体積の割合が、第二の起毛布３５ｂの接触量となる。
【００７０】
起毛布３５との接触により清掃体２９から除去される塵埃の量及び種類は、清掃体２９との接触量により異なる。また、起毛布３５との接触により発生する回転ブラシ２５の回転に対する抵抗は、清掃体２９との接触量により異なる。第一の起毛布３５ａと第二の起毛布３５ｂとで清掃体２９との接触量が異なる場合、両者において除去される塵埃の量及び種類が異なる。これにより、清掃体２９から除去される塵埃の量及び種類の範囲を広くすることができる。したがって、塵埃の除去をより効率的に行うことができる。また、回転ブラシ２５の回転に対する抵抗を考慮し、第一の起毛布３５ａと第二の起毛布３５ｂとで個別に清掃体２９との接触量を調整することができる。
【００７１】
図１３に示すように、第一の起毛布３５ａは第二の起毛布３５ｂより後方に配置されてもよい。第一の起毛布３５ａは、第二の起毛布３５ｂより接触量が大きいため、より多くの塵埃を清掃体２９から除去する。このため、第一の起毛布３５ａを真空度の高い後方に配置することで、効率的に塵埃が除去される。第一の起毛布３５ａと第二の起毛布３５ｂとの相互の位置関係は、図１３に示したものに限定されない。設計上の制約又はその他の条件により第一の起毛布３５ａは第二の起毛布３５ｂより前方に配置されてもよい。また、起毛布３５は、第三の起毛布を更に有してもよい。
【００７２】
また、第一の起毛布３５ａと第二の起毛布３５ｂは、ケース１０の長手方向に並べて配置されても良い。例えば、ケース１０の長手方向の中央に第一の起毛布３５ａが配置される。更に、ケース１０の長手方向の両端に第二の起毛布３５ｂが配置される。
【００７３】
継手管１４はケース１０の長手方向の中央に配置されている。このため、ケース１０の長手方向の位置により吸引風の気流の速さが異なる。したがって、清掃体２９へ付着する塵埃の状態がケース１０の長手方向の位置により異なることがある。清掃体２９に付着する塵埃の状態が異なれば、起毛布３５の清掃体２９との好適な接触量も異なる場合がある。そのため、第一の起毛布３５ａと第二の起毛布３５ｂとをケース１０の長手方向に並べて配置することで、塵埃の除去をより効率的に行うことができる。
【００７４】
図１４は、本発明の実施の形態１に係る吸込み具４の他の例を示す断面図である。図１４は、図２におけるＡ−Ａ面での断面図である。第一の起毛布３５ａは吸込み口２２と風路２４との間に配置される。第二の起毛布３５ｂは平面Ｖより後方に配置される。第一の起毛布３５ａ及び第二の起毛布３５ｂが、いずれも真空度の高い後方に配置されることで、効率的に塵埃が除去される。
【００７５】
第二の起毛布３５ｂの清掃体２９との接触量は、例えば第二の起毛布３５ｂの取付け位置により調整することができる。収容部２３の内壁の一部は凹部２３ａを有する。第二の起毛布３５ｂは凹部２３ａに配置される。凹部２３ａに配置した第二の起毛布３５ｂは、凹部２３ａの深さにより回転軸Ｘとの径方向の距離が定まる。すなわち、第二の起毛布３５ｂの種類及び倒伏角度θなどのパラメータを変えずに、凹部２３ａの深さにより清掃体２９との接触量を調整できる。なお、パイル３７の倒伏角度θ又は倒伏高さＨを変えることで清掃体２９との接触量を変えても良い。これにより、除去する塵埃の種類及び量と、回転ブラシ２５の回転に対する抵抗等を考慮し、第二の起毛布３５ｂの清掃体２９との接触量を調整できる。
【００７６】
実施の形態２．
本実施の形態では、実施の形態１で開示された例と相違する点について詳しく説明する。本実施の形態で説明しない特徴については、実施の形態１で開示された例のいずれの特徴が採用されても良い。
【００７７】
本実施の形態では、収容部の内壁の一部が、第一位置と、第一位置より回転ブラシに近い第二位置とに配置されるように変形が可能な例について説明する。即ち、本実施の形態においては、収容部の内壁の一部は回転ブラシに近づくように変形できる。起毛布は収容部の内壁の一部に配置される。起毛布が配置された内壁の一部は、回転ブラシに近づくように変形できる。以下では、収容部の内壁の一部が第一位置に配置されている状態を、起毛布が回転ブラシから遠い状態という。また、以下では収容部の内壁の一部が第二位置に配置されている状態を、起毛布が回転ブラシに近い状態という。
【００７８】
図１５は、本実施の形態に係る吸込み具４の収容部２３の内壁の一部が第一位置に配置された状態を示す断面図である。即ち、図１５は起毛布３５が回転ブラシ２５から遠い状態を示す断面図である。図１６は、本実施の形態に係る吸込み具４の収容部２３の内壁の一部が第二位置に配置された状態を示す断面図である。即ち、図１６は起毛布３５が回転ブラシ２５に近い状態を示す断面図である。図１５及び図１６は、図２におけるＡ−Ａ面に相当する面での断面図である。
【００７９】
ケース１０は回転ブラシ２５より前方にバッファー３９を有する。バッファー３９は、被清掃面Ｇを清掃する作業の際に、吸込み具４が壁等に接触した場合に変形することで壁等が傷つくことを防ぐための部材である。壁等は、例えば壁、柱又は家具である。バッファー３９は可動部３９ａを有する。吸込み具４の前方が壁等に接触したとき、可動部３９ａが変形することで、バッファー３９が回転ブラシに近づくように変形する。可動部３９ａは弾性材料が用いられる。弾性材料として、例えばエラストマー、塩化ビニール又はシリコン樹脂が用いられる。
【００８０】
バッファー３９は、回転ブラシ２５に近づくように変形が可能な収容部２３の内壁の一部を形成する。バッファー３９が形成する内壁の一部に、起毛布３５が配置される。バッファー３９が変形していない状態では起毛布３５が回転ブラシ２５から遠い第一位置に配置されている。バッファー３９が変形することで、起毛布３５が回転ブラシ２５に近い第二位置に変化する。
【００８１】
起毛布３５が回転ブラシ２５に近い第二位置にあるとき回転ブラシ２５のいずれかの回転位置で清掃体２９に接触する位置に、起毛布３５は配置される。即ち、起毛布３５が回転ブラシ２５に近い第二位置にあるときに回転ブラシ２５が一回転すると清掃体２９と接触する位置に、起毛布３５は配置される。
【００８２】
起毛布３５が回転ブラシ２５から遠い第一位置にあるときは回転ブラシ２５のいずれの回転位置においても清掃体２９に接触しない位置に、起毛布３５は配置される。即ち、起毛布３５が回転ブラシ２５から遠い第一位置にあれば回転ブラシ２５が一回転しても清掃体２９と接触しない位置に、起毛布３５は配置される。
【００８３】
起毛布３５は、実施の形態１で図１０に示す起毛布３５と同様に、ケース１０の長手方向に平行に取り付けられている。また、回転ブラシ２５において、清掃体２９のねじれ角βは、隣接する清掃体２９がなす開き角αより大きい。このとき、起毛布３５は回転ブラシ２５に近い第二位置に配置される状態において、回転ブラシ２５のいずれの回転位置においても清掃体２９に接触する。すなわち、起毛布３５が回転ブラシ２５に近い第二位置に配置される状態において、回転ブラシ２５の回転により清掃体２９と起毛布３５が連続的にかつ部分的に接触する。
【００８４】
被清掃面Ｇを清掃する作業の際は回転ブラシ２５が回転している。起毛布３５が回転ブラシ２５から遠い第一位置に配置される状態にあるときは、起毛布３５と清掃体２９とは接触しない。即ち、起毛布３５と清掃体２９との接触による接触音の発生及びモーター１９の負荷の増加がない。
【００８５】
被清掃面Ｇを清掃する作業の際に吸込み具４の前方が壁等に接触した場合、バッファー３９が変形する。このとき起毛布３５が回転ブラシ２５に近い第二位置に配置される状態になり、清掃体２９と起毛布３５とが接触する。これにより、清掃体２９に付着した塵埃が除去される。使用者は塵埃を除去する作業を意識することなく、吸込み具４が壁に衝突したときに清掃体２９に付着した塵埃が除去される。また、回転ブラシ２５を取り外すことなく清掃体２９に付着した塵埃が除去される。したがって、被清掃面Ｇを清掃する作業の際の接触音の発生及びモーターへの負荷の増加をなくし、且つ使用者が塵埃を除去する作業の負担が低減できる。
【００８６】
起毛布３５が回転ブラシ２５に近い第二位置に配置される状態においては、清掃体２９と起毛布３５との接触は連続的かつ部分的なものとなる。これによって、清掃体２９と起毛布３５の接触音も連続的かつ小さいものとなる。したがって、接触音による使用者の不快感を低減できる。また、回転ブラシ２５の回転に対する抵抗も連続的かつ小さいものとなる。したがって、回転ブラシ２５を駆動するモーター１９への負荷を低減できる。
【００８７】
バッファー３９の一部である可動部３９ａに弾性材料が用いられることで、複雑な構造とせずにバッファー３９が変形可能となる。このように、バッファー３９は、少なくとも一部が弾性材料からなる。なお、バッファー３９全体が可動部３９ａと同一の弾性材料であってもよい。なお、可動部３９ａに弾性材料が用いられない場合は、例えば可動部３９ａにヒンジが用いられても良い。
【００８８】
また、本実施の形態においては、起毛布３５が回転ブラシ２５から遠い第一位置にあるときも回転ブラシ２５が一回転すると清掃体２９と接触する位置に、起毛布３５が配置されてもよい。起毛布３５の位置が可変となるため、清掃体２９との接触量が可変となる。すなわち、起毛布３５が回転ブラシ２５に近い第二位置に配置される状態では清掃体２９との接触量が大きく、起毛布３５が回転ブラシ２５から遠い第一位置にある状態では清掃体２９との接触量が小さい。これによって、回転ブラシ２５の回転に対する抵抗と、起毛布３５によって塵埃を除去する効率とを、使用者が調整できる。
【００８９】
なお、バッファー３９が変形し起毛布３５が回転ブラシ２５に近い第二位置に配置される状態となるのは、吸込み具４の前方が壁等に接触した場合に限定されない。清掃作業の際に、使用者の任意により手又は足等でバッファー３９を変形させることで塵埃を除去する作業を使用者は行っても良い。これによって、回転ブラシ２５を取り外さずに清掃体２９に付着した塵埃が除去される。
【００９０】
本実施の形態は、例示したバッファー３９が収容部２３の変形可能な内壁の一部を形成するものに限定されない。例えば、吸込み具４の上方が弾性材料で形成され、回転ブラシ２５に近づくように変形が可能な部分が設けられたものであってもよい。このとき、起毛布３５が配置される収容部２３の内壁の一部を当該部分が形成する。被清掃面Ｇを清掃する作業の際に、使用者の任意により手又は足等で当該部分を変形させて塵埃を除去する作業を行うことができる。起毛布３５は収容部２３の後方に配置されても良い。収容部２３の中で真空度の高い後方に起毛布３５が配置されるので、塵埃がより効率的に除去される。
【００９１】
変形可能な収容部２３の内壁の一部に、起毛布３５の一部のみが配置されてもよい。例えば、第一の起毛布３５ａが変形可能な収容部２３の内壁の一部に設けられ、第二の起毛布３５ｂは変形しない収容部２３の内壁の一部に設けられても良い。
【００９２】
また、第一の起毛布３５ａと第二の起毛布３５ｂとが、ともに変形可能な収容部２３の内壁の一部に配置されてもよい。例えば、バッファー３９が形成する収容部２３の内壁の一部に、第一の起毛布３５ａ及び第二の起毛布３５ｂがケース１０の長手方向に並ぶ様に配置されてもよい。
【符号の説明】
【００９３】
１  電気掃除機、  ２  本体、  ３  ホース体、  ４  吸込み具、  ５  電動送風機、  ６  集塵部、  ７  軟質管部、  ８  持ち手部、  ８ａ  操作部、  ９  硬質延長管部、  １０  ケース、  １１  上ケース、  １２  下ケース、  １３  下カバー、  １４  継手管、  １４ａ  接続部、  １４ｂ  連結部、  １５  滑り部材、  １６  後部車輪、  １７  中部車輪、  １８  軸受け部、  １９  モーター、  ２０  プーリー、  ２１  ベルト、  ２２  吸込み口、  ２３  収容部、  ２３ａ  凹部、  ２４  風路、  ２５  回転ブラシ、  ２６  円筒基体、  ２７  円筒部、  ２８  溝部、  ２９  清掃体、  ３０  清掃体保持部、  ３１  ガイド部、  ３２  スイッチ、  ３３  スイッチ保持部、  ３４  スイッチ兼用車輪、  ３５  起毛布、  ３５ａ  第一の起毛布、  ３５ｂ  第二の起毛布、  ３６  基材、  ３７  パイル、  ３８ａ  回転面、  ３８ｂ  回転面、  ３９  バッファー、  ３９ａ  可動部、  ４０  遮口部材
【図１】
2019017791.tif 000003
【図２】
2019017791.tif 000004
【図３】
2019017791.tif 000005
【図４】
2019017791.tif 000006
【図５】
2019017791.tif 000007
【図６】
2019017791.tif 000008
【図７】
2019017791.tif 000009
【図８】
2019017791.tif 000010
【図９】
2019017791.tif 000011
【図１０】
2019017791.tif 000012
【図１１】
2019017791.tif 000013
【図１２】
2019017791.tif 000014
【図１３】
2019017791.tif 000015
【図１４】
2019017791.tif 000016
【図１５】
2019017791.tif 000017
【図１６】
2019017791.tif 000018